(57)【要約】【課題】人間工学的に手持ち操作しやすい構造を備えた字消しを提供する。【解決手段】親指Ｈａ、人差し指Ｈｂおよび中指Ｈｃの３本の指による基準把持状態を誘導する３つの支持面２ａ、２ｂ、２ｃが字消し１の軸線方向全長にわたり形成されている柱体形状の字消し１で、余分な力を必要とせず、安定した状態で持ちやすくて、消字操作がスムーズで、安定した消字力が得られるとともに、使用による減り方も均一になる。【選択図】図４
2016120688.tif 000002
【特許請求の範囲】
【請求項１】
人間工学的に手持ち操作しやすい構造を備える柱体形状のものであって、
親指、人差し指および中指の３本の指による基準把持状態を誘導する少なくとも３つの支持面が字消しの軸線方向全長にわたり形成されている
ことを特徴とする字消し。
【請求項２】
前記基準把持状態は、手指にて手持ち小物物品を片手保持しようとする際に、人間工学的に最も自然で無理のない理想的な把持姿勢をとることができるように設定されている
ことを特徴とする請求項１に記載の字消し。
【請求項３】
前記支持面は、字消しの軸線方向全長にわたり平行に延びて形成されている
ことを特徴とする請求項１に記載の字消し。
【請求項４】
前記支持面は、字消しの軸線を中心として周方向へ均等配置されている
ことを特徴とする請求項１に記載の字消し。
【請求項５】
前記支持面は、前記３本の指のいずれか一つの指の腹が密着状に嵌合係止する嵌合溝の形態とされている
ことを特徴とする請求項１から４のいずれか一つに記載の字消し。
【請求項６】
前記支持面は、円弧形状断面を有する嵌合溝の形態とされている
ことを特徴とする請求項５に記載の字消し。
【請求項７】
前記支持面は、台形状断面を有する嵌合溝の形態とされている
ことを特徴とする請求項５に記載の字消し。
【請求項８】
前記支持面は、前記３本の指のいずれか一つの指の腹が密着状に係止する平坦面の形態とされている
ことを特徴とする請求項１から４のいずれか一つに記載の字消し。
【請求項９】
前記支持面は、字消しの軸線を中心として周方向へ３つ均等配置されている
ことを特徴とする請求項４に記載の字消し。
【請求項１０】
前記支持面は、字消しの軸線を中心として周方向へ４つ均等配置されている
ことを特徴とする請求項４に記載の字消し。
【請求項１１】
前記支持面は、字消しの軸線を中心として周方向へ５つ均等配置されている
ことを特徴とする請求項４に記載の字消し。
【請求項１２】
周方向に隣接する前記支持面間に、字消しの消字姿勢を誘導する消字面が字消しの軸線方向全長にわたり形成されている
ことを特徴とする請求項１から１１のいずれか一つに記載の字消し。
【請求項１３】
前記消字面は、字消しの軸線方向全長にわたり平行に延びて形成されている
ことを特徴とする請求項１２に記載の字消し。
【請求項１４】
前記消字面は、その幅寸法が前記支持面の幅寸法に比較して小さく設定されることにより、前記３本の指を前記支持面へ誘導案内する支持案内部としての機能を有する
ことを特徴とする請求項１２に記載の字消し。
【請求項１５】
前記消字面は、前記３本の指のいずれか一つの指の腹を前記支持面へ摺動案内する幅寸法の平坦面の形態とされている
ことを特徴とする請求項１４に記載の字消し。
【請求項１６】
前記消字面は、前記３本の指のいずれか一つの指の腹を前記支持面へ摺動案内する凸円弧断面をする円筒面の形態とされている
ことを特徴とする請求項１４に記載の字消し。
【請求項１７】
前記消字面は、前記３本の指のいずれか一つの指の腹を前記支持面へ摺動案内する山形断面をする先細テーパ面の形態とされている
ことを特徴とする請求項１４に記載の字消し。
【請求項１８】
前記消字面は、前記３本の指のいずれか一つの指の腹を前記支持面へ摺動案内する幅寸法のジグザグ断面をする鋸面の形態とされている
ことを特徴とする請求項１４に記載の字消し。
【請求項１９】
周方向に隣接する前記支持面同士が字消しの軸線方向全長にわたり直接接続されて接続エッジが形成され、
この接続エッジが字消しの消字姿勢を誘導する消字線としての機能と、前記３本の指を前記支持面へ誘導案内する支持案内部としての機能を有する
ことを特徴とする請求項１から１１のいずれか一つに記載の字消し。
【請求項２０】
人間工学的に手持ち操作しやすい構造を備える柱体形状のものであって、
親指、人差し指および中指の３本の指による基準把持状態を誘導する少なくとも３つの支持面が字消しの軸線方向全長にわたり螺旋状に延びて形成されている
ことを特徴とする字消し。
【請求項２１】
前記螺旋状に延びる支持面は、字消しの軸線方向任意位置において、前記３本の指による前記基準把持状態を誘導する作用効果が安定して発揮される構成とされている
ことを特徴とする請求項２０に記載の字消し。
【請求項２２】
人間工学的に手持ち操作しやすい構造を備える柱体形状のものであって、
親指、人差し指および中指の３本の指による基準把持状態を誘導する少なくとも３つの独立支持面の組が字消しの軸線方向全長にわたり所定間隔をもって均等に配列形成されている
ことを特徴とする字消し。
【請求項２３】
前記独立支持面の組は、字消しの軸線方向全長にわたり螺旋状に配列形成されている
ことを特徴とする請求項２２に記載の字消し。
【請求項２４】
前記独立支持面の組を構成する独立支持面は、字消しの軸線を中心として周方向へ均等配置されている
ことを特徴とする請求項２３に記載の字消し。
【請求項２５】
前記独立支持面の組を構成する独立支持面は、前記３本の指のいずれか一つの指の腹が密着状に嵌合係止する嵌合凹部の形態とされている
ことを特徴とする請求項２２から２４のいずれか一つに記載の字消し。
【請求項２６】
前記独立支持面の組を構成する独立支持面は、字消しの軸線を中心として周方向へ３つ均等配置されている
ことを特徴とする請求項２４に記載の字消し。
【発明の詳細な説明】
【技術分野】
【０００１】
本発明は字消しに関し、さらに詳細には、特にゴム製、プラスチック製等の各種の字消しにおいて、人間工学的に手持ち操作しやすい字消しの構造に関する。
【背景技術】
【０００２】
一般に、鉛筆やシャープペンシル等の筆記具で書かれた文章の文字や図形の線など誤記の消去（消字）に用いられる字消しは、ゴム製またはプラスチック製の柱体形状のもので、そのほとんどが矩形断面を有する直方体形状とされている。
【０００３】
このような直方体形状の字消しの使用に際しては、構造上必然的に、親指、人差し指および中指の３本の指により２面支持または３面支持状態で字消しを把持することとなる。
【０００４】
すなわち、２面支持状態で字消しを把持するには、例えば図１７（ａ）に示すように、字消しＥの１面ａに親指Ｈａを当てるとともに、この面ａに対向する反対側の面ｂに人差し指Ｈｂと中指Ｈｃの２本の指を当てて、字消しＥを両側から挟持するようにして把持する。
【０００５】
また、３面支持状態で字消しを把持する使用方法は、例えば図１８（ａ）に示すように、字消しＥの１面ａに親指Ｈａを当て、この面ａに対向する反対側の面ｂに中指Ｈｃを当て、またこれら両面ａ、ｂの間の面ｃに人差し指Ｈｂを当てて、字消しＥを両側から親指Ｈａと中指Ｈｃで挟持するとともに、人差し指Ｈｂで字消しＥを上側から押さえるようにして把持する。
【０００６】
そして、このように把持した字消しＥの先端部分を、図１７（ｂ）または図１８（ｂ）に示すように、消字対象となる紙面Ｐ上の文字等に押し当てて矢符方向つまり字消しＥの縦方向へ往復移動させながら、上記文字等を摩擦消去する。
【０００７】
しかしながら、このような直方体形状の字消しでは以下に述べるような不具合があった。
【０００８】
すなわち、２面支持状態で字消しを把持する使用方法においては、字消しＥを縦方向に動かした時に字消しＥが消字動作時の押圧力によって手指の中で回転しやすく、その回転を防ぐために余分な力を必要とする。
【０００９】
一方、３面支持状態で字消しを把持する使用方法においては、字消しＥを親指Ｈａと中指Ｈｃで挟み込み、人差し指Ｈｂで上側から固定しているので、字消しＥが手指の中で回転しにくく、余分な力を必要としないが、３面支持状態では、人差し指Ｈｂの置き場である字消しＥの上面ｃが狭くて持ちにくく、消字操作がやりにくい。
【００１０】
また、字消しの持ち方およびその使用態様については、上述した典型例のほか、使用者個人の癖等により種々雑多であり、字消しの使用による減り方も均一でなく、本来の字消しの消字力が得られにくい場合もあって、理想的な字消しの持ち方という面からも字消しの構造上の改良の余地があった。
【００１１】
なお、本出願人の知る限りにおいて、これら従来技術を開示した特許文献等は存在しない。
【先行技術文献】
【特許文献】
【００１２】
【特許文献１】なし
【発明の概要】
【発明が解決しようとする課題】
【００１３】
本発明はかかる従来の問題点に鑑みてなされたものであって、その目的とするところは、余分な力を必要とせず、安定した状態で持ちやすくて、消字操作がスムーズで、安定した消字力が得られるとともに、使用による減り方も均一になる、人間工学的に手持ち操作しやすい構造を備えた字消しを提供することにある。
【課題を解決するための手段】
【００１４】
この目的を達成するため、本発明の第１の字消しは、人間工学的に手持ち操作しやすい構造を備える柱体形状のものであって、親指、人差し指および中指の３本の指による基準把持状態を誘導する少なくとも３つの支持面が字消しの軸線方向全長にわたり形成されていることを特徴とする。
【００１５】
好適な実施態様として、以下の構成が採用される。
（１）上記基準把持状態は、手指にて手持ち小物物品を片手保持しようとする際に、人間工学的に最も自然で無理のない理想的な把持姿勢をとることができるように設定されている。
【００１６】
（２）上記支持面は、字消しの軸線方向全長にわたり平行に延びて形成されている。
【００１７】
（３）上記支持面は、字消しの軸線を中心として周方向へ均等配置されている。
【００１８】
（４）上記支持面は、上記３本の指のいずれか一つの指の腹が密着状に嵌合係止する嵌合溝の形態とされている。
【００１９】
（５）上記支持面は、円弧形状断面を有する嵌合溝の形態とされている。
【００２０】
（６）上記支持面は、台形状断面を有する嵌合溝の形態とされている。
【００２１】
（７）上記支持面は、上記３本の指のいずれか一つの指の腹が密着状に係止する平坦面の形態とされている。
【００２２】
（８）上記支持面は、字消しの軸線を中心として周方向へ３つ均等配置されている。
【００２３】
（９）上記支持面は、字消しの軸線を中心として周方向へ４つ均等配置されている。
【００２４】
（１０）上記支持面は、字消しの軸線を中心として周方向へ５つ均等配置されている。
【００２５】
（１１）周方向に隣接する上記支持面間に、字消しの消字姿勢を誘導する消字面が字消しの軸線方向全長にわたり形成されている。
【００２６】
（１２）上記消字面は、字消しの軸線方向全長にわたり平行に延びて形成されている。
【００２７】
（１３）上記消字面は、その幅寸法が上記支持面の幅寸法に比較して小さく設定されることにより、上記３本の指を上記支持面へ誘導案内する支持案内部としての機能を有する。
【００２８】
（１４）上記消字面は、上記３本の指のいずれか一つの指の腹を上記支持面へ摺動案内する幅寸法の平坦面の形態とされている。
【００２９】
（１５）上記消字面は、上記３本の指のいずれか一つの指の腹を上記支持面へ摺動案内する凸円弧断面をする円筒面の形態とされている。
【００３０】
（１６）上記消字面は、上記３本の指のいずれか一つの指の腹を上記支持面へ摺動案内する山形断面をする先細テーパ面の形態とされている。
【００３１】
（１７）上記消字面は、上記３本の指のいずれか一つの指の腹を上記支持面へ摺動案内する幅寸法のジグザグ断面をする鋸面の形態とされている。
【００３２】
（１８）周方向に隣接する上記支持面同士が字消しの軸線方向全長にわたり直接接続されて接続エッジが形成され、この接続エッジが字消しの消字姿勢を誘導する消字線としての機能と、上記３本の指を上記支持面へ誘導案内する支持案内部としての機能を有する。
【００３３】
本発明の第２の字消しは、人間工学的に手持ち操作しやすい構造を備える柱体形状のものであって、親指、人差し指および中指の３本の指による基準把持状態を誘導する少なくとも３つの支持面が字消しの軸線方向全長にわたり螺旋状に延びて形成されていることを特徴とする。
【００３４】
好適な実施態様として、上記螺旋状に延びる支持面は、字消しの軸線方向任意位置において、上記３本の指による上記基準把持状態を誘導する作用効果が安定して発揮される構成とされている。
【００３５】
本発明の第３の字消しは、人間工学的に手持ち操作しやすい構造を備える柱体形状のものであって、親指、人差し指および中指の３本の指による基準把持状態を誘導する少なくとも３つの独立支持面の組が字消しの軸線方向全長にわたり所定間隔をもって均等に配列形成されていることを特徴とする。
【００３６】
好適な実施態様として、以下の構成が採用される。
（１）上記独立支持面の組は、字消しの軸線方向全長にわたり螺旋状に配列形成されている。
【００３７】
（２）上記独立支持面の組を構成する独立支持面は、字消しの軸線を中心として周方向へ均等配置されている。
【００３８】
（３）上記独立支持面の組を構成する独立支持面は、上記３本の指のいずれか一つの指の腹が密着状に嵌合係止する嵌合凹部の形態とされている。
【００３９】
（４）上記独立支持面の組を構成する独立支持面は、字消しの軸線を中心として周方向へ３つ均等配置されている。
【発明の効果】
【００４０】
本発明によれば、人間工学的に手持ち操作しやすい構造を備える柱体形状のものであって、親指、人差し指および中指の３本の指による基準把持状態を誘導する少なくとも３つの支持面が字消しの軸線方向全長にわたり形成されているから、以下に列挙するような種々の優れた特有の効果が発揮され、余分な力を必要とせず、安定した状態で持ちやすくて、消字操作がスムーズで、安定した消字力が得られるとともに、使用による減り方も均一になる字消しを提供することができる。
【００４１】
（１）親指、人差し指および中指の３本の指による基準把持状態を誘導する少なくとも３つの支持面が形成されていることにより、字消しを手指にて把持するに際して、上記支持面の誘導作用により、使用者個人の癖の有無に関わらず、親指、人差し指および中指の３本の指が誘導されて、字消しの基準把持状態とすることができる。
【００４２】
具体的には、この基準把持状態は、試験研究の結果得られた把持姿勢、つまり、手指にて手持ち小物物品を片手保持しようとする際に、人間工学的に最も自然で無理のない理想的な把持姿勢をとることができるように設定されている。
【００４３】
したがって、使用者は、自身の癖の有無に関わらず、常時安定して無理のない理想的な字消しの把持姿勢をとることができ、その結果、余分な力を必要とせずに字消しを自然な把持姿勢をもって安定した状態で固定保持することができ、延いては、円滑な消字動作を行うことができて、安定した消字力を得ることができる。
【００４４】
（２）親指、人差し指および中指の３本の指による基準把持状態を誘導する少なくとも３つの支持面が、字消しの軸線を中心として周方向へ均等配置されていることにより、これら支持面に対する上記３本の指の支持位置が限定されずに、任意の支持面を支持することができる。
【００４５】
換言すれば、上記支持面に対する上記３本の指の支持位置が限定されると、使用者個人の癖等により、字消しの消字動作時の消字部となる先端部の位置も限定されて、字消しの減り方が偏っていびつになる傾向が強い。
【００４６】
これに対して、本発明のように、上記支持面が字消しの軸線を中心として周方向へ均等配置されていることにより、これら支持面に対する上記３本の指の支持位置を自由に変更することができ、その結果、字消しが減ってきても、その減り方がいびつになることを有効に防止することができ、常時持ちやすく、消しやすい状態を維持することができる。
【００４７】
（３）基準把持状態での消字動作が行えることにより、使用による字消しの減り方も均一となり、この点からも常時安定した消字姿勢を取り続けることができる。
【００４８】
（４）上記支持面が字消しの軸線方向全長にわたり形成されていることにより、上記（１）〜（３）の効果を新品の使用当初から最後まで安定して継続発揮することができる。
【００４９】
（５）上記支持面が字消しの軸線方向全長にわたり形成されてなる単純な形状で、多量生産品である字消しの製造に有利な構造であり、従来の字消しの一般的な製造方法がそのまま実施可能で、製造コストの高騰を招くことがなく、製品コストが安価な字消しを提供することができる。
【００５０】
（６）周方向に隣接する上記支持面間に、字消しの消字姿勢を誘導する消字面が形成されていることにより、字消しを手指にて把持して消字動作を行うに際して、上記消字面の誘導作用により、上記支持面の誘導作用がさらに有効に発揮されて、人間工学的に理想の消字姿勢をとることができる。
【００５１】
すなわち、上記支持面の誘導作用により、使用者は、自身の癖の有無に関わらず、理想的な字消しの把持姿勢をとることができるが、上記消字面の誘導作用により、消字姿勢も使用者個人の癖を排した無理のない理想的な状態を維持することができ、さらに円滑な消字動作および安定した消字力を得ることができる。
【図面の簡単な説明】
【００５２】
【図１】本発明の実施形態１である字消しを示す斜視図である。
【図２】同じく同字消しを示し、図２（ａ）は正面図、図２（ｂ）は平面図、図２（ｃ）は側面図、図２（ｄ）は底面図である。
【図３】同字消しを親指、人差し指および中指の３本の指により把持した基準把持状態を示す正面図である。
【図４】同字消しを親指、人差し指および中指の３本の指により把持して消字動作を行う消字姿勢を示す図で、図４（ａ）は前方からの斜視図、図４（ｂ）は後方からの斜視図である。
【図５】本発明の実施形態２である字消しを示す斜視図である。
【図６】同字消しを親指、人差し指および中指の３本の指により把持した基準把持状態を示す正面図である。
【図７】本発明の実施形態３である字消しを示す斜視図である。
【図８】同字消しを親指、人差し指および中指の３本の指により把持した基準把持状態を示す正面図である。
【図９】本発明の実施形態４である字消しを示す斜視図である。
【図１０】同字消しを親指、人差し指および中指の３本の指により把持した基準把持状態を示す正面図である。
【図１１】本発明の実施形態５である字消しを示す斜視図である。
【図１２】同字消しを親指、人差し指および中指の３本の指により把持した基準把持状態を示す正面図である。
【図１３】本発明の実施形態６である字消しを示す斜視図である。
【図１４】同字消しを親指、人差し指および中指の３本の指により把持した基準把持状態を示す正面断面図である。
【図１５】同字消しを親指、人差し指および中指の３本の指により把持して消字動作を行う消字姿勢を示す斜視図である。
【図１６】他の実施形態に係る字消しの正面輪郭形状を示す正面断面図である。
【図１７】従来の字消しの典型的な使用状態を示し、図１７（ａ）は親指、人差し指および中指の３本の指で字消しを２面支持で把持する状態を示す斜視図、図１７（ｂ）は同把持状態で消字動作を行う消字姿勢を示す斜視図である。
【図１８】従来の字消しの他の典型的な使用状態を示し、図１８（ａ）は親指、人差し指および中指の３本の指で字消しを３面支持で把持する状態を示す斜視図、図１８（ｂ）は同把持状態で消字動作を行う消字姿勢を示す斜視図である。
【発明を実施するための形態】
【００５３】
以下、本発明の実施形態を図面に基づいて詳細に説明する。なお、図面全体にわたって同一の符号は同一の構成部材または要素を示している。
【００５４】
実施形態１
本発明に係る字消しを図１〜図４に示し、この字消し１は、手指にて把持して鉛筆等の筆記具による誤字や誤記などを摩擦消去するためのものであって、人間工学的に手持ち操作しやすい構造を備える柱体の形態とされている。
【００５５】
具体的には、この字消し１は、親指Ｈａ、人差し指Ｈｂおよび中指Ｈｃの３本の指による基準把持状態を誘導する少なくとも３つの幅広の支持面２、２、…が形成されており、さらに、これら周方向に隣接する支持面２、２、…間に、字消し１の消字姿勢を誘導する幅狭の消字面３、３、…（支持面２の配設数に対応）がそれぞれ形成されてなる。
【００５６】
上記基準把持状態は、本発明者による種々の試験研究の結果得られた把持姿勢であって、図４（ａ）および（ｂ）に示すように、手持ち小物物品である字消し１を、手指つまり親指Ｈａ、人差し指Ｈｂおよび中指Ｈｃの３本の指にて片手保持しようとする際に、人間工学的に最も自然で無理のない理想的な把持姿勢、つまり、親指Ｈａと中指Ｈｃで挟み、人差し指Ｈｂで上側から固定する把持姿勢をとることができるように、支持面２、２、…が設定配置されている。
【００５７】
図示の実施形態の字消し１は、３本の指Ｈａ、Ｈｂおよび中指Ｈｃによる基準把持状態を誘導する幅広の支持面２として、３つの支持面２ａ、２ｂ、２ｃが形成されるとともに、これら周方向に隣接する支持面２ａ、２ｂ、２ｃ間に、字消し１の消字姿勢を誘導する幅狭の消字面３として、３つの消字面３ａ、３ｂ、３ｃがそれぞれ形成されてなる。
【００５８】
このような幅広の支持面２と幅狭の消字面３の組合せ構成は、両者を確実に区別認識できて、支持面２による上記基準把持状態誘導作用をより確かなものとする、
【００５９】
上記３つの支持面２ａ、２ｂ、２ｃは、図２（ａ）および図３に示すように、字消し１の軸線を中心として周方向へ均等配置されており、換言すれば、支持面２ａ、２ｂ、２ｃは、字消し１の軸線まわりに１２０°の等角度をもって配置されている。
【００６０】
また、これら３つの支持面２ａ、２ｂ、２ｃの具体的形状構造は、いずれも同一とされており、これにより、これら３つの支持面２ａ、２ｂ、２ｃに対する親指Ｈａ、人差し指Ｈｂおよび中指Ｈｃの３本の指の支持位置が限定されずに、任意の支持面２ａ、２ｂ、２ｃを３本の指Ｈａ、Ｈｂ、Ｈｃで支持することができる構成とされている。
【００６１】
換言すれば、このような構成とすることにより、これら３つの支持面２ａ、２ｂ、２ｃに対する３本の指Ｈａ、Ｈｂ、Ｈｃの支持位置を自由に変更することができ（図３の場合は、支持面２ｃを親指Ｈａが、支持面２ａを人差し指Ｈｂが、および支持面２ｂを中指Ｈｃがそれぞれ支持している。）、その結果、字消し１が使用により経時的にすり減ってきても、その減り方がいびつになることを有効に防止することができる。
【００６２】
例えば、上記支持面２ａの形状構造は、３本の指Ｈａ、Ｈｂ、Ｈｃのいずれか一つの指の腹が当接係止し得る幅広の幅寸法Ｗ2を有し、具体的には、これら３本の指Ｈａ、Ｈｂ、Ｈｃのいずれか一つの指の腹が密着状に嵌合係止する嵌合溝の形態とされており、図示の実施形態においては、図２（ａ）および図３に示すように、円弧形状断面を有する嵌合溝の形態とされている。
【００６３】
この場合の支持面２ａの形状寸法は、支持面２ａの断面輪郭形状が常態における指Ｈａ、Ｈｂ、Ｈｃの腹の断面輪郭形状よりも若干小さめの曲率の円弧形状に設定されるのが好ましい。
【００６４】
このような構成とすることにより、常態にある３本の指Ｈａ、Ｈｂ、Ｈｃよりも支持面２ａの嵌合溝の方が広いため、指Ｈａ、Ｈｂ、Ｈｃによる支持面２ａの認識、さらには支持面２ａへの指Ｈａ、Ｈｂ、Ｈｃの誘導が確実かつ円滑に行われ、一方、嵌合把持時における指Ｈａ、Ｈｂ、Ｈｃの腹の押圧変形により、指Ｈａ、Ｈｂ、Ｈｃの腹表面が支持面２ａに確実に密着して把持状態における良好なフィット感が得られる。
【００６５】
すなわち、図示の実施形態の字消し１は、長さ寸法Ｌが４０〜５０ｍｍに設定されるとともに、支持面２ａは、その幅寸法Ｗ2が１７ｍｍ程度で、最深部の深さ寸法Ｄ2が２ｍｍ程度にそれぞれ設定されている。
【００６６】
支持面２ａがこのような形状寸法に設定されることにより、３本の指Ｈａ、Ｈｂ、Ｈｃのいずれか一つの指（図示の場合は人差し指Ｈｂ）が、図３に示すように嵌合溝２ａに密着状に嵌合係止し得ることとなる。
【００６７】
３つの支持面２ａ、２ｂ、２ｃは、図１および図２（ｂ）、（ｃ）に示すように、字消し１の軸線方向全長にわたり平行に延びて形成されていることにより、上述した親指Ｈａ、人差し指Ｈｂおよび中指Ｈｃの３本の指による基準把持状態を誘導する作用効果を、字消し１の新品の使用当初から最後まで安定して継続発揮することができる。
【００６８】
上記３つの消字面３ａ、３ｂ、３ｃは、図２（ａ）および図３に示すように、周方向に隣接する上記３つの支持面２ａ、２ｂ、２ｃ間に、字消し１の軸線を中心として周方向へ均等配置されており、換言すれば、これら消字面３ａ、３ｂ、３ｃは、字消し１の軸線まわりに１２０°の等角度をもって配置されている。
【００６９】
また、これら３つの消字面３ａ、３ｂ、３ｃの具体的形状構造は、３つの支持面２ａ、２ｂ、２ｃと同様に、いずれも同一構造とされている。
【００７０】
例えば、上記消字面３ａの形状構造は、その幅寸法Ｗ3が上記支持面２ａおよび２ｂの幅寸法に比較して小さく設定されることにより、字消し１の消字姿勢を誘導するという本来的機能に加えて、３本の指Ｈａ、Ｈｂ、Ｈｃを上記支持面２ａおよび２ｂへ誘導案内する支持案内部としての機能を兼備する。
【００７１】
具体的には、上記消字面３ａは、上記３本の指Ｈａ、Ｈｂ、Ｈｃのいずれか一つの指の腹を上記支持面２ａおよび２ｂへ摺動案内する小さな幅寸法Ｗ3の平坦面の形態とされている。図示の実施形態の字消し１においては、上述した支持面２ａの幅寸法Ｗ2（＝１７ｍｍ程度）に対して、幅寸法Ｗ3が８ｍｍ程度に設定されている。
【００７２】
そして、字消し１の把持動作時においては、これら消字面３ａ、３ｂ、３ｃに当接支持しようとする指Ｈａ、Ｈｂ、Ｈｃは、幅狭の消字面３ａ、３ｂ、３ｃ上を滑って隣接する支持面２ａ、２ｂ、２３ｂへ誘導案内されて、上記支持面２ａ、２ｂ、２ｂの誘導作用がさらに有効に発揮される結果、上述した親指Ｈａ、人差し指Ｈｂおよび中指Ｈｃの３本の指による人間工学的に最も自然で無理のない理想的な把持姿勢（図３）をとることができる。
【００７３】
また、字消し１による消字動作時においては、図３に示すように、字消し１の支持面２ａ、２ｂ、２ｃを手指Ｈａ、Ｈｂ、Ｈｃにて３面支持状態で把持して消字動作を行うに際して、図４（ａ）、（ｂ）に示すように、例えば消字面３ｂを、消字対象となる紙面Ｐ上の文字等に押し当てるように位置決めすることで（消字面３ｂの誘導作用）、無理のない理想的な消字姿勢をとることができる。
【００７４】
また、消字面３ｂが幅狭に設定されていることにより、消字動作時における紙面Ｐに対する接触面積が小さくて、紙面Ｐに押し当てての往復移動時の摩擦抵抗が軽減され、これにより消字動作を軽快にスムーズに行えるという付随的効果も発揮され得る。
【００７５】
上記字消し１の構成材料としては、従来公知の字消し材料のいずれも適用可能であり、これら従来公知の字消し材料を選択使用することにより、一般的に使用される黒鉛除去用の字消し、インク除去用の砂入り字消し、黒鉛除去用字消しとインク除去用字消しが複合一体化されてなる両用字消し等、字消しの種類を問わず本実施形態の形状構造を適用でき、また消しゴム（ゴムを基材とするもの）、プラスチック字消し、油性字消し（石鹸字消し）等のあらゆる組成のものにも適用できる。
【００７６】
例えば、プラスチック字消しに用いられる基材としては、例えば、塩化ビニル樹脂、塩化ビニル系樹脂、酢酸ビニル系樹脂、オレフィン系樹脂、アクリル樹脂、アイオノマー樹脂、熱可塑性エラストマー（スチレン系、オレフィン系など）などを用いることができ、単独でまたは二種以上組み合わせて使用できる。
【００７７】
また、消しゴムに用いられる基材としては、例えば、天然ゴム、各種合成ゴムを用いることができ、単独でまたは二種以上組み合わせて使用できる。
【００７８】
本実施形態の字消しには可塑剤、軟化剤を適宜用いる。
【００７９】
可塑剤としては、プラスチック字消しの基材樹脂を可塑化する可塑剤であればフタル酸系、トリメリット酸系、ポリエステル系、エポキシ系、リン酸系、アジピン酸系、セバシン酸系、アセライン系、クエン酸系、スルホン酸系などの可塑剤であれば好適に用いることができ、単独で又は二種以上組み合わせて使用できる。
【００８０】
軟化剤としては鉱物油系、植物油系のいずれも使用できるが、特にプロセスオイルが好適である。
【００８１】
さらに、必要に応じて、重質炭酸カルシウム、軽質炭酸カルシウム、シリカ、珪藻土、酸化マグネシウム、タルク、セリサイト、石英粉末、モンモリロナイト、ホタテ、カキ、しじみなどの貝殻粉末などの充填剤、有機中空粒子、無機中空粒子及び有機・無機顔料、染料などの着色材、香料、安定剤、滑剤、酸化防止剤、紫外線吸収剤、防カビ剤などの他の添加物も適宜任意に使用することも可能である。
【００８２】
さらに、インキ等を溶解する溶剤を内包したマイクロカプセルや、インキ筆跡などを摩消する研磨剤を添加することにより、鉛筆筆跡以外の消去も可能な字消しとすることができる。
【００８３】
上記のごとき成分からなる字消し１は、支持面２ａ、２ｂ、２ｃおよび消字面３ａ、３ｂ、３ｃが字消し１の軸線方向全長にわたり形成されてなる単純な形状であり、従来の字消しの一般的な製造方法がそのまま実施可能で、構成材料が混練された後、押出成形、射出成形、注型成形、プレス成形等により成形され、上述した所定の形状寸法に裁断されて製品とされる。
【００８４】
しかして、以上のように構成された字消し１において、使用者は、図３に示すように、親指Ｈａ、人差し指Ｈｂおよび中指Ｈｃの３本の指により、字消し１の支持面２ａ、２ｂ、２ｃを把持した状態で、図４（ａ）、（ｂ）に示すように、人差し指Ｈｂにより支持された支持面２（図示の場合は支持面２ａ）に対向する消字面３（図示の場合は消字面３ｂ）の先端部分を、消字対象となる紙面Ｐ上の文字等に押し当てて矢符方向つまり字消し１の縦方向へ往復移動させることで、上記文字等を摩擦消去する。
【００８５】
以上のように、本実施形態の字消し１は、人間工学的に手持ち操作しやすい構造を備える柱体形状のものであって、親指Ｈａ、人差し指Ｈｂおよび中指Ｈｃの３本の指による基準把持状態を誘導する３つの支持面２ａ、２ｂ、２ｃが字消し１の軸線方向全長にわたり形成されているから、以下に列挙するような種々の優れた特有の効果が発揮され、余分な力を必要とせず、安定した状態で持ちやすくて、消字操作が簡単かつスムーズで、安定した消字力が得られるとともに、使用による減り方も均一になる。
【００８６】
（ａ）親指Ｈａ、人差し指Ｈｂおよび中指Ｈｃの３本の指による基準把持状態を誘導する３つの支持面２ａ、２ｂ、２ｃが形成されていることにより、字消し１を手指にて把持するに際して、上記支持面２ａ、２ｂ、２ｃの誘導作用により、使用者個人の癖の有無に関わらず、親指Ｈａ、人差し指Ｈｂおよび中指Ｈｃの３本の指が誘導されて、字消し１の基準把持状態とすることができる。
【００８７】
具体的には、この基準把持状態は、前述したように、本発明者の試験研究の結果得られた把持姿勢、つまり、手指にて手持ち小物物品を片手保持しようとする際に、人間工学的に最も自然で無理のない理想的な把持姿勢をとることができるように設定されている。
【００８８】
したがって、使用者は、自身の癖の有無に関わらず、常時安定して無理のない理想的な字消し１の把持姿勢をとることができ、その結果、余分な力を必要とせずに字消しを自然な把持姿勢をもって安定した状態で固定保持することができ、延いては、円滑な消字動作を行うことができて、安定した消字力を得ることができる。
【００８９】
（ｂ）親指Ｈａ、人差し指Ｈｂおよび中指Ｈｃの３本の指による基準把持状態を誘導する３つの支持面２ａ、２ｂ、２ｃが、字消し１の軸線を中心として周方向へ３つ均等配置されていることにより、これら支持面２ａ、２ｂ、２ｃに対する上記３本の指Ｈａ、Ｈｂ、Ｈｃの支持位置が限定されずに、任意の支持面を支持することができる。
【００９０】
換言すれば、上記支持面２ａ、２ｂ、２ｃに対する上記３本の指Ｈａ、Ｈｂ、Ｈｃの支持位置が限定されると、使用者個人の癖等により、字消し１の消字動作時の消字部となる先端部の位置も限定されて、字消し１の減り方が偏っていびつになる傾向が強い。
【００９１】
これに対して、本実施形態のように、上記支持面２ａ、２ｂ、２ｃが字消し１の軸線を中心として周方向へ３つ均等配置されていることにより、これら支持面２ａ、２ｂ、２ｃに対する上記３本の指Ｈａ、Ｈｂ、Ｈｃの支持位置を自由に変更することができ、その結果、字消し１が使用により経時的に減ってきても、その減り方がいびつになることを有効に防止することができ、常時持ちやすく、消しやすい状態を維持することができる。
【００９２】
（ｃ）基準把持状態での消字動作が行えることにより、使用による字消し１の減り方も均一となり、この点からも常時安定した消字姿勢を取り続けることができる。
【００９３】
（ｄ）上記支持面２ａ、２ｂ、２ｃが字消し１の軸線方向全長にわたり形成されていることにより、上記（ａ）〜（ｃ）の効果を新品の使用当初から最後まで安定して継続発揮することができる。
【００９４】
（ｅ）上記支持面２ａ、２ｂ、２ｃが字消し１の軸線方向全長にわたり平行に形成されてなる単純な形状で、多量生産品である字消し１の製造に有利な構造であり、上述したように、従来の字消し１の一般的な製造方法がそのまま実施可能で、製造コストの高騰を招くことがなく、製品コストが安価な字消しを提供することができる。
【００９５】
（ｆ）周方向に隣接する上記支持面２ａ、２ｂ、２ｃ間に、字消し１の消字姿勢を誘導する３つの消字面３ａ、３ｂ、３ｃがそれぞれ形成されていることにより、字消し１を手指Ｈａ、Ｈｂ、Ｈｃにて把持して消字動作を行うに際して、上記消字面３ａ、３ｂ、３ｃの誘導作用により、上記支持面２ａ、２ｂ、２ｃの誘導作用がさらに有効に発揮されて、人間工学的に理想の消字姿勢をとることができる。
【００９６】
すなわち、上記支持面２ａ、２ｂ、２ｃの誘導作用により、使用者は、自身の癖の有無に関わらず、理想的な字消し１の把持姿勢をとることができるが、上記消字面３ａ、３ｂ、３ｃの誘導作用により、消字姿勢も使用者個人の癖を排した無理のない理想的な状態を維持することができ、さらに円滑な消字動作および安定した消字力を得ることができる。
【００９７】
特に、本実施形態のように、支持面２ａ、２ｂ、２ｃの配設数が３つと奇数に設定されていることにより、これら支持面２ａ、２ｂ、２ｃを手指Ｈａ、Ｈｂ、Ｈｃにて３面支持状態で把持して消字動作を行うに際して、人差し指Ｈｂにより支持された支持面２ａ、２ｂ、２ｃ（図示の場合は支持面２ａ）に対向する消字面３ａ、３ｂ、３ｃ（図示の場合は消字面３ｂ）の先端部分を、消字対象となる紙面Ｐ上の文字等に押し当てるように位置決めすることで、消字面３ａ、３ｂ、３ｃの誘導作用が、上記支持面２ａ、２ｂ、２ｃの誘導作用による基準把持状態との関係で、いかんなく発揮されて、無理のない理想的な消字姿勢をとることができる。
【００９８】
実施形態２
本実施形態は図５および図６に示されており、実施形態１の具体的な形状構造が改変されたものである。
【００９９】
すなわち、本実施形態の字消し１１において、３つの支持面２ａ、２ｂ、２ｃの具体的形状構造がいずれも同一とされている点は実施形態１の場合と同様であり、例えば、上記支持面２ａの形状構造は、上記３本の指Ｈａ、Ｈｂ、Ｈｃのいずれか一つの指の腹が密着状に係止する平坦面の形態とされている。
その他の構成および作用は実施形態１と同様である。
【０１００】
実施形態３
本実施形態は図７および図８に示されており、実施形態２と同様、実施形態１の具体的な形状構造が改変されたものである。
【０１０１】
すなわち、本実施形態の字消し２１において、３つの支持面２ａ、２ｂ、２ｃの具体的形状構造がいずれも同一とされている点は実施形態１の場合と同様であり、例えば、上記支持面２ａの形状構造は、台形状断面を有する嵌合溝の形態とされて、上記３本の指Ｈａ、Ｈｂ、Ｈｃのいずれか一つの指の腹が密着状に嵌合係止する構造とされている。
【０１０２】
上記支持面２ａの具体的構造は、図８に示すように、両側に隣接する消字面３ａ、３ｃに連続する平坦な傾斜面２２、２２と、これら傾斜面２２、２２間に連続形成される平坦な底面２３とから構成され、この底面２３は上記両傾斜面２２、２２の外端縁２２ａ、２２ａを接続する仮想平面２４に平行な平面とされている。
その他の構成および作用は実施形態１と同様である。
【０１０３】
実施形態４
本実施形態は図９および図１０に示されており、具体的な形状構造がさらに改変されたものである。
【０１０４】
すなわち、本実施形態の字消し３１は、３本の指Ｈａ、Ｈｂおよび中指Ｈｃによる基準把持状態を誘導する幅広の支持面２として、５つの支持面２ａ、２ｂ、２ｃ、２ｄ、２ｅが形成されるとともに、これら周方向に隣接する支持面２ａ、２ｂ、２ｃ、２ｄ、２ｅ間に、字消し１の消字姿勢を誘導する消字面３として、５つの消字面３ａ、３ｂ、３ｃ、３ｄ、３ｅがそれぞれ形成されてなる。
【０１０５】
上記支持面２ａ、２ｂ、２ｃ、…は、図９および図１０に示すように、字消し１の軸線を中心として周方向へ５つ均等配置されており、換言すれば、支持面２ａ、２ｂ、２ｃ、…は、字消し１の軸線まわりに７２°の等角度をもって配置されている。
【０１０６】
また、これら５つの支持面２ａ、２ｂ、２ｃ、…の具体的形状構造は、いずれも同一とされており、これにより、これら５つの支持面２ａ、２ｂ、２ｃ、…に対する親指Ｈａ、人差し指Ｈｂおよび中指Ｈｃの３本の指の支持位置が限定されずに、任意の支持面２ａ、２ｂ、２ｃ、…を、３本の指Ｈａ、Ｈｂ、Ｈｃで基準把持姿勢をもって支持できる構成とされている点は、実施形態１と同様である。
【０１０７】
つまり、本実施形態の字消し３１においても、５つの支持面２ａ、２ｂ、２ｃ、…に対する３本の指Ｈａ、Ｈｂ、Ｈｃの基準把持姿勢での支持位置を自由に変更することができ（図１０の場合は、支持面２ｄを親指Ｈａが、支持面２ａを人差し指Ｈｂが、および支持面２ｃを中指Ｈｃがそれぞれ支持している。）、その結果、字消し１が使用により経時的にすり減ってきても、その減り方がいびつになることを有効に防止することができる。
【０１０８】
例えば、上記支持面２ａの形状構造は、実施形態１の場合とまったく同様の設計条件とされている。
【０１０９】
すなわち、図示の実施形態の字消し３１は、長さ寸法Ｌが４０〜５０ｍｍに設定されるとともに、支持面２ａは、その幅寸法Ｗ2が１７ｍｍ程度で、最深部の深さ寸法Ｄ2が２ｍｍ程度にそれぞれ設定されている。
【０１１０】
また、これら５つの消字面３ａ、３ｂ、３ｃ、…の具体的形状構造は、上記５つの支持面２ａ、２ｂ、２ｃ、…と同様に、いずれも同一構造とされている。
【０１１１】
例えば、上記消字面３ａの形状構造は、実施形態１の場合とまったく同様の設計条件とされている。
【０１１２】
すなわち、上記消字面３ａは、上述した支持面２ａの幅寸法Ｗ2（＝１７ｍｍ程度）に対して、幅寸法Ｗ3が８ｍｍ程度に設定されている。
【０１１３】
そして、字消し１の把持動作時においては、これら消字面３ａ、３ｂ、３ｃ、…に当接支持しようとする指Ｈａ、Ｈｂ、Ｈｃは、幅狭の消字面３ａ、３ｂ、３ｃ、…上を滑って隣接する支持面２ａ、２ｂ、２ｂ、…へ誘導案内されて、上記支持面２ａ、２ｂ、２ｂ、…の誘導作用がさらに有効に発揮される結果、上述した親指Ｈａ、人差し指Ｈｂおよび中指Ｈｃの３本の指による人間工学的に最も自然で無理のない理想的な基準把持姿勢（図１０）をとることができる。
【０１１４】
上記消字面３ａ、３ｂ、３ｃ、…は、図９および図１０に示すように、周方向に隣接する上記５つの支持面２ａ、２ｂ、２ｃ、…間に、字消し１の軸線を中心として周方向へ５つ均等配置されており、換言すれば、これら消字面３ａ、３ｂ、３ｃ、…は、字消し１の軸線まわりに７２°の等角度をもって配置されている。
【０１１５】
また、字消し１による消字動作時においては、例えば図１０に示すように、字消し１の支持面２ａ、２ｃ、２ｄを、手指Ｈａ、Ｈｂ、Ｈｃにて３面支持状態の基準把持姿勢をもって把持して消字動作を行うに際し、具体的には図示しないが、人差し指Ｈｂにより上側から固定支持される支持面２ａの対向位置にある消字面３ｃを、消字対象となる紙面Ｐ上の文字等に押し当てるように位置決めすることで（消字面３ｃの誘導作用）、無理のない理想的な消字姿勢をとることができる（実施形態１の図４参照）。
その他の構成および作用は実施形態１と同様である。
【０１１６】
実施形態５
本実施形態は図１１および図１２に示されており、具体的な形状構造がさらに改変されたものである。
【０１１７】
すなわち、本実施形態の字消し４１は、実施形態１の字消し１がその軸線周りに捩じられた外観形状を呈し、実施形態１と同様に、人間工学的に手持ち操作しやすい構造を備える柱体の形態とされている。
【０１１８】
具体的には、この字消し４１は、実施形態１の字消し１において、一方の底面例えば先端面５１ａを固定して、他方の底面である後端面５１ｂを軸線周りに所定角度回転するように捩じられた外観形状を有する柱体で、この柱体の捩じり角度θは、後述する支持面４２、４２、…が字消し４１の軸線方向の任意の位置において親指Ｈａ、人差し指Ｈｂおよび中指Ｈｃの３本の指による基準把持状態を誘導する作用効果を安定して発揮することができるように設定される。
【０１１９】
図示の実施形態の字消し４１においては、先端面４１ａを固定して後端面４１ｂが軸線周りに３０°回転するように捩じられた外観形状の柱体とされている。
【０１２０】
字消し４１の具体的構造は、親指Ｈａ、人差し指Ｈｂおよび中指Ｈｃの３本の指による基準把持状態を誘導する少なくとも３つの幅広の支持面４２、４２、…が形成されており、さらに、これら周方向に隣接する支持面４２、４２、…間に、字消し１の消字姿勢を誘導する幅狭の消字面４３、４３、…（支持面４２の配設数に対応）がそれぞれ形成されてなる。
【０１２１】
図示の実施形態の字消し４１は、３本の指Ｈａ、Ｈｂおよび中指Ｈｃによる基準把持状態を誘導する幅広の支持面４２として、３つの支持面４２ａ、４２ｂ、４２ｃが形成されるとともに、これら周方向に隣接する支持面４２ａ、４２ｂ、４２ｃ間に、字消し１の消字姿勢を誘導する幅狭の消字面３として、３つの消字面４３ａ、４３ｂ、４３ｃがそれぞれ形成されてなる。
【０１２２】
上記３つの支持面４２ａ、４２ｂ、４２ｃおよび消字面４３ａ、４３ｂ、４３ｃはそれぞれ、図１１に示すように、字消し４１の軸線方向全長にわたり螺旋状に延びて形成されている。
【０１２３】
上記３つの支持面４２ａ、４２ｂ、４２ｃの具体的形状構造はいずれも同一とされており、これにより、これら３つの支持面４２ａ、４２ｂ、４２ｃに対する親指Ｈａ、人差し指Ｈｂおよび中指Ｈｃの３本の指の支持位置が限定されずに、任意の支持面４２ａ、４２ｂ、４２ｃを３本の指Ｈａ、Ｈｂ、Ｈｃで支持することができる構成とされている。
【０１２４】
例えば、上記支持面４２ａは、その断面輪郭形状が実施形態１の支持面と同一の円弧形状に設定されるとともに、この円弧形状の断面輪郭が字消し４１の先端面４１ａから後端面４１ｂに至るまで螺旋状に連続して設けられている。
【０１２５】
これにより、支持面４２ａは、実施形態１の場合と同様、図１２に示すように、３本の指Ｈａ、Ｈｂ、Ｈｃのいずれか一つの指の腹が密着状に嵌合係止する円弧形状断面の螺旋溝の形態とされて、上述した親指Ｈａ、人差し指Ｈｂおよび中指Ｈｃの３本の指による基準把持状態を誘導する作用効果を、字消し４１の新品の使用当初から最後まで安定して継続発揮することができる。
【０１２６】
この目的のため、上記螺旋状に延びる支持面４２ａは、字消し４１の軸線方向任意位置において、上記３本の指Ｈａ、Ｈｂ、Ｈｃによる上記基準把持状態を誘導する作用効果が安定して発揮するように構成されている。
【０１２７】
換言すれば、字消し４１の上記捩じり角θは、前述したように、上記支持面４２、４２、…の軸線方向任意位置において、支持面４２、４２、…が親指Ｈａ、人差し指Ｈｂおよび中指Ｈｃの３本の指による基準把持状態を誘導する作用効果が安定して発揮するように設定される。
【０１２８】
上記３つの消字面４３ａ、４３ｂ、４３ｃの具体的形状構造も、上記支持面４２ａ、４２ｂ、４２ｃと同様、いずれの消字面４３ａ、４３ｂ、４３ｃも同一とされており、例えば、上記消字面４３ａは、その断面輪郭形状が実施形態１の消字面と同一の直線形状に設定されるとともに、この直線形状の断面輪郭が字消し４１の先端面４１ａから後端面４１ｂに至るまで螺旋状に連続して設けられている。
【０１２９】
これにより、消字面４３ａは、実施形態１の場合と同様、字消し４１の消字姿勢を誘導するという本来的機能に加えて、３本の指Ｈａ、Ｈｂ、Ｈｃを上記支持面４２ａおよび４２ｂへ誘導案内する支持案内部としての機能を兼備する螺旋面の形態とされている。
【０１３０】
しかして、以上のように構成された字消し４１において、使用者は、図１２に示すように、親指Ｈａ、人差し指Ｈｂおよび中指Ｈｃの３本の指により、字消し４１の支持面４２ａ、４２ｂ、４２ｃを把持した状態で、実施形態１の場合と同様に使用することができ（図４（ａ）、（ｂ）参照）、この使用状態は、新品の使用当初から最後まで安定して継続維持することができる。
その他の構成および作用は実施形態１と同様である。
【０１３１】
実施形態６
本実施形態は図１３〜図１５に示されており、具体的な形状構造がさらに改変されたものである。
【０１３２】
すなわち、本実施形態の字消し５１は、人間工学的に手持ち操作しやすい構造を備える柱体の形態とされている点は実施形態１と同様であり、親指Ｈａ、人差し指Ｈｂおよび中指Ｈｃの３本の指による基準把持状態を誘導する少なくとも３つの独立支持面５２、５２、…の組６０が字消し５１の軸線方向全長にわたり所定間隔をもって均等に配列形成されている。
【０１３３】
本実施形態における上記基準把持状態は、図１５に示すように、親指Ｈａ、人差し指Ｈｂおよび中指Ｈｃの３本の指にて字消し５１を片手保持しようとする際に、人間工学的に最も自然で無理のない理想的な把持姿勢、つまり、親指Ｈａと中指Ｈｃで挟み、人差し指Ｈｂで上側から固定する把持姿勢をとることができるように、上記独立支持面５２、５２、…の組６０が設定配置されている。
【０１３４】
図示の実施形態の字消し５１は、図示のごとく端面が円形状とされた円柱体の形態とされてなり、その円筒面５１ａに、３本の指Ｈａ、Ｈｂ、Ｈｃによる基準把持状態を誘導する上記独立支持面５２、５２、…の組６０として、円周方向へ配置形成された３つの独立支持面５２ａ、５２ｂ、５２ｃにより１つの組６０ａが構成されるとともに、このように構成された３つの独立支持面の組６０ａ、６０ｂ、６０ｃが、字消し５１の軸線方向全長にわたり所定間隔をもって均等に配列形成されている。つまり、図示の実施形態の字消し５１においては、合計９つの独立支持面５２、５２、…が字消し５１の円筒面５１ａに整列配置されている。
【０１３５】
上記１つの独立支持面の組における３つの独立支持面５２ａ、５２ｂ、５２ｃは、図１４に示すように、字消し５１の軸線を中心として円周方向へ均等配置されており、換言すれば、独立支持面５２ａ、５２ｂ、５２ｃは、字消し５１の軸線まわりに１２０°の等角度をもって配置されている。
【０１３６】
また、これら３つの独立支持面５２ａ、５２ｂ、５２ｃの具体的形状構造は、いずれも同一とされており、これにより、これら３つの独立支持面５２ａ、５２ｂ、５２ｃに対する親指Ｈａ、人差し指Ｈｂおよび中指Ｈｃの３本の指の支持位置が限定されずに、任意の独立支持面５２ａ、５２ｂ、５２ｃを３本の指Ｈａ、Ｈｂ、Ｈｃで支持することができる構成とされている。
【０１３７】
換言すれば、このような構成とすることにより、これら３つの独立支持面５２ａ、５２ｂ、５２ｃに対する３本の指Ｈａ、Ｈｂ、Ｈｃの支持位置を自由に変更することができ（図１４の場合は、独立支持面５２ｃを親指Ｈａが、独立支持面５２ａを人差し指Ｈｂが、および独立支持面５２ｂを中指Ｈｃがそれぞれ支持している。）、その結果、字消し５１が使用により経時的にすり減ってきても、その減り方がいびつになることを有効に防止することができる。
【０１３８】
例えば、上記独立支持面５２ａの形状構造は、３本の指Ｈａ、Ｈｂ、Ｈｃのいずれか一つの指の腹が当接係止し得るように個別に配された支持面とされ、具体的には、これら３本の指Ｈａ、Ｈｂ、Ｈｃのいずれか一つの指の腹が密着状に嵌合係止する嵌合凹部の形態とされている。
【０１３９】
図示の実施形態の独立支持面５２ａは、図１３（ｂ）に示すような楕円形状の正面輪郭を有するとともに、図１４に示すような円弧形状断面を有する嵌合凹部の形態とされている。
【０１４０】
この場合の独立支持面５２ａの形状寸法は、その断面輪郭形状（字消し５１の軸線方向およびこの軸線方向に垂直な方向双方の断面輪郭形状）が、常態における指Ｈａ、Ｈｂ、Ｈｃの腹の断面輪郭形状よりも若干小さめの曲率の円弧形状に設定されるのが好ましく、またこの断面輪郭形状に対応して上記楕円形状の正面輪郭形状も、常態における指Ｈａ、Ｈｂ、Ｈｃの腹が嵌合し得る大きさに設定されるのが好ましい。
【０１４１】
なお、上記独立支持面５２ａの正面形状は、図１３（ｂ）に示すような楕円形状の他、目的に応じて、図１３（ｃ）に示すような小判形状あるいは図１３（ｄ）に示すような円形状も適宜採用可能であり、この場合の独立支持面５２ａの形状寸法は、上記断面輪郭形状および正面輪郭形状の設計要件を満たすことが好ましい。
【０１４２】
このような構成とされることにより、常態にある３本の指Ｈａ、Ｈｂ、Ｈｃよりも独立支持面５２ａの嵌合凹部の方が大きいため、指Ｈａ、Ｈｂ、Ｈｃによる独立支持面５２ａの認識、さらには独立支持面５２ａへの指Ｈａ、Ｈｂ、Ｈｃの誘導が確実かつ円滑に行われ、一方、嵌合把持時における指Ｈａ、Ｈｂ、Ｈｃの腹の押圧変形により、指Ｈａ、Ｈｂ、Ｈｃの腹表面が独立支持面５２ａに確実に密着状に嵌合係止して、把持状態における良好なフィット感が得られる。
【０１４３】
また、このように構成された独立支持面の組６０は、字消し５１の軸線方向全長にわたり螺旋状に配列形成されている。
【０１４４】
図示の実施形態においては、３つの独立支持面の組６０ａ、６０ｂ、６０ｃが字消し５１の軸線方向へ螺旋状に配列形成されている。
【０１４５】
具体的には、先端部位の１組目の独立支持面の組６０ａに対して、中間部位の２組目の独立支持面の組６０ｂは、軸線方向後方へ所定間隔をもってずらすとともに、円周方向時計回りに６０°回転した位置に配置されている。
【０１４６】
換言すれば、１組目の独立支持面の組６０ａにおける各独立支持面５２ａ、５２ｂ、５２ｃが、２組目の独立支持面の組６０ｂにおいては、それぞれ円周方向時計回りに６０°回転した位置に配置形成されている。
【０１４７】
また、中間部位の２組目の独立支持面の組６０ｂに対して、後端部位の３組目の独立支持面の組６０ｃは、さらに上記所定間隔をもって軸線方向後方へずらすとともに、円周方向時計回りに６０°回転した位置に配置されている。
【０１４８】
換言すれば、２組目の独立支持面の組６０ｂにおける各独立支持面５２ａ、５２ｂ、５２ｃが、３組目の独立支持面の組６０ｃにおいては、それぞれ円周方向時計回りにさらに６０°回転した位置に配置形成されている。
【０１４９】
このような構成とされることにより、３つの組６０ａ、６０ｂ、６０ｃにおける各独立支持面５２ａ、５２ａ、５２ａおよび５２ｂ、５２ｂ、５２ｂおよび５２ｃ、５２ｃ、５２ｃは、字消し５１の軸線方向へ螺旋状に配列されることとなり、これにより、上述した親指Ｈａ、人差し指Ｈｂおよび中指Ｈｃの３本の指による基準把持状態を誘導する作用効果を、字消し５１の新品の使用当初から最後まで安定して継続発揮することができる。
【０１５０】
しかして、以上のように構成された字消し５１において、使用者は、図１４に示すように、親指Ｈａ、人差し指Ｈｂおよび中指Ｈｃの３本の指により、字消し５１の独立支持面５２ａ、５２ｂ、５２ｃを把持した状態で、図１５に示すように、人差し指Ｈｂにより支持された独立支持面５２（図示の場合は独立支持面５２ａ）に対向する先端部分５１ｂを、消字対象となる紙面Ｐ上の文字等に押し当てて矢符方向つまり字消し５１の縦方向へ往復移動させることで、上記文字等を摩擦消去する。
その他の構成および作用は実施形態１と同様である。
【０１５１】
なお、上述した実施形態１〜６はあくまでも本発明の好適な実施態様を示すものであって、本発明はこれらに限定されることなく、その範囲内で種々の設計変更が可能である。
【０１５２】
（１）例えば、実施形態１〜５において、実施形態１〜３、５は、支持面２が字消し１の軸線を中心として周方向へ３つ均等配置されている場合、実施形態４は、支持面２が字消し１の軸線を中心として周方向へ５つ均等配置されている場合であるが、この支持面２の配設数は目的に応じて適宜増減可能であり、つまり、具体的には図示しないが、支持面２が字消し１の軸線を中心として周方向へ４つ均等配置されている構造も採用可能である。
【０１５３】
ただし、発明者の試験研究の結果、支持面２の形状寸法に求められる設計条件（親指Ｈａ、人差し指Ｈｂおよび中指Ｈｃの３本の指による基準把持状態を誘導する。）から、支持面２は３つ均等配置されるのが最も理想的で好ましく、６つ以上になると字消し１のサイズが使用上大きくなり過ぎるということが判明している。
【０１５４】
（２）また、実施形態１〜５において、消字面３の具体的形状構造は特に限定されず、例えば実施形態１の変形例として、図１６に示すような形状構造が採用され得る。
【０１５５】
つまり、図１６（ａ）の消字面３（３ａ、３ｂ、３ｃ）は、３本の指Ｈａ、Ｈｂ、Ｈｃのいずれか一つの指の腹を支持面２（２ａ、２ｂ、２ｃ）へ摺動案内する凸円弧断面をする円筒面の形態とされている。また、図１６（ｂ）の消字面３（３ａ、３ｂ、３ｃ）は、３本の指Ｈａ、Ｈｂ、Ｈｃのいずれか一つの指の腹を支持面２（２ａ、２ｂ、２ｃ）へ摺動案内する山形断面をする先細テーパ面の形態とされている。さらに、図１６（ｃ）の消字面３（３ａ、３ｂ、３ｃ）は、３本の指Ｈａ、Ｈｂ、Ｈｃのいずれか一つの指の腹を支持面２（２ａ、２ｂ、２ｃ）へ摺動案内する幅寸法のジグザグ断面をする鋸面の形態とされている。
【０１５６】
（３）さらに、実施形態１〜５においては、周方向に隣接する支持面２、２間に、字消し１の消字姿勢を誘導する消字面３が設けられているが、この消字面３を設けずに、隣接する支持面２、２同士が直接接続される形状構造も採用可能である。
【０１５７】
具体的には、周方向に隣接する上記支持面２、２同士が字消し１の軸線方向全長にわたり直接接続されて接続エッジが形成され、この接続エッジが、上記消字面３と同様に作用する。
【０１５８】
つまり、上記接続エッジは、字消し１の消字姿勢を誘導する消字線としての機能と、上記３本の指Ｈａ、Ｈｂ、Ｈｃを上記支持面支持面２ａおよび２ｂへ誘導案内する支持案内部としての機能を兼備する。
【０１５９】
この場合は、使用時の消字動作により、上記接続エッジの先端角部が次第に摩耗して面となり、消字面と同様な作用をなすことになる。
【符号の説明】
【０１６０】
１                                  字消し
２（２ａ、２ｂ、２ｃ、２ｄ、２ｅ）  支持面
３（３ａ、３ｂ、３ｃ、３ｄ、３ｅ）  消字面
１１                                字消し
２１                                字消し
３１                                字消し
４１                                字消し
５１                                字消し
５２（５２ａ、５２ｂ、５２ｃ）      独立支持面
６０（６０ａ、６０ｂ、６０ｃ）      独立支持面の組
Ｈａ                                親指
Ｈｂ                                人差し指
Ｈｃ                                中指
Ｌ                                  字消しの長さ寸法
Ｗ2                                 支持面の幅寸法
Ｗ3                                 支持面の最深部の深さ寸法
【図１】
2016120688.tif 000003
【図２】
2016120688.tif 000004
【図３】
2016120688.tif 000005
【図４】
2016120688.tif 000006
【図５】
2016120688.tif 000007
【図６】
2016120688.tif 000008
【図７】
2016120688.tif 000009
【図８】
2016120688.tif 000010
【図９】
2016120688.tif 000011
【図１０】
2016120688.tif 000012
【図１１】
2016120688.tif 000013
【図１２】
2016120688.tif 000014
【図１３】
2016120688.tif 000015
【図１４】
2016120688.tif 000016
【図１５】
2016120688.tif 000017
【図１６】
2016120688.tif 000018
【図１７】
2016120688.tif 000019
【図１８】
2016120688.tif 000020